(57)【要約】【課題】簡易な構成により面材と枠材の変形を許容することで、水平力が作用したとき耐力が急激に低下することがない耐力壁パネルを提供する。【課題を解決するための手段】【解決手段】矩形に組み立てた枠材の側面に鋼板製等の面材を接合した建物の耐力壁パネルにおいて、矩形枠体４に固着する分割面材１５を高さ方向に分割して各分割面材１５を隙間（ロ）を形成して配置して矩形枠体４に固着し、分割面材１５が対向する側の端縁部２２は縦枠材１１、１１ａに固着した各々異なる幅方向取付け枠１０に接合したことを特徴とする。【選択図】図１
2005320748.tif 000002
【特許請求の範囲】
【請求項１】
矩形に組み立てた枠材に面材を接合した建物の耐力壁パネルにおいて、前記面材を高さ方向に分割して各分割面材を隙間を形成して配置し、分割面材同士が対向する側の端部は枠材に接合した各々異なる幅方向取付け枠に接合したことを特徴とする建物の耐力壁パネル。
【請求項２】
各分割面材は、高さ方向中間部でも枠材に接合した幅方向取付け枠に接合したことを特徴とする請求項１記載の建物の耐力壁パネル。 
【請求項３】
前記枠材と幅方向取付け枠を薄板軽量溝形鋼で構成すると共に、前記面材を鋼板で構成し、各部材はタッピングねじで接合されていることを特徴とする請求項１または２記載の建物の耐力壁パネル。
【請求項４】
前記枠材をリップ付きＣ形鋼で構成すると共に、前記幅方向取付け枠を端部から中間部に向けて所定の長さに渡ってウエブを切欠いたＣ形鋼で構成し、ウエブ切欠き部におけるフランジで前記枠材のフランジを挟み、その重合部をタッピングねじで接合したことを特徴とする請求項３記載の建物の耐力壁パネル。
【発明の詳細な説明】
【技術分野】
【０００１】
本発明は、木造、鉄骨造等の低層建物、特に薄板軽量形鋼造の建物に用いられる耐力壁パネルに関するものであり、面材が鋼板である場合に特に耐震性能を向上させるが、面材が合板、或いは枠材が木材等にも適用できる耐力壁パネルに関するものである。
【背景技術】
【０００２】
スチールハウス等の薄板軽量形鋼造においては、溝形鋼を用いて構成した矩形の枠材に鋼板や合板などの面材をタッピングねじで接合して耐力壁パネルを構成し、この耐力壁パネルにより躯体を構築するものである。
【０００３】
前記耐力壁パネルは、該建物に地震等による水平力が作用したとき、この耐力壁パネルの面材のせん断変形により地震エネルギーを吸収するため、小さな変形で壊れると地震エネルギーの吸収能力が乏しくなる。特に、面材が鋼板であると、ねじ接合部で局所的な支圧破壊が生じるため変形性能が乏しく耐力壁パネルの面材として利用しづらいという問題がある。
【０００４】
図８は、従来のスチールハウスにおける耐力壁パネルの１例で、薄板軽量溝形鋼で構成された縦枠材１と下部横枠材２と上部横枠材３で矩形枠材４が組まれ、その一側面に枠内全面覆う一枚の鋼板からなる面材５が複数のタッピングねじ７で固着されている。
【０００５】
この耐力壁パネル８に地震等の水平力が作用したときの挙動を図６（ａ）に模式図で示す。高さ方向に長い長方形の耐力壁パネル８において、面材５の上辺５ａと下辺５ｂに反対方向の水平力が作用するとき、該耐力壁パネル８は図６（ｂ）のように変形し、面材５には図に示すように斜長応力（イ）が発生しており、面材は引張力に抵抗するバネとして作用する。このとき、１枚の面材５が矩形枠４内の全面に貼設されていると、対角同士を直接結ぶ斜長応力しか発生しないため、応力の経路としては最短となる。
【０００６】
また、１枚の面材５が矩形枠４内の全面に貼設されていると、対角同士を直接結ぶ斜長応力が発生するが、対角２カ所だけのねじ接合部に変形が集中するため、面材５はある限界を越えるとねじ周辺が破れて急激に耐力が低下する。これは耐力壁パネル８自体の急激な破壊を意味し、建物全体としての安定性が失われることになる。このように矩形枠で囲まれる全面に１枚の鋼板（面材）を貼着する耐力壁パネル８では、変形性能が乏しく、実用化しづらいという問題点があった。また、斜長応力の幅方向成分が高さ方向の成分に比べて小さいため、面材に変形性能があったとしてもパネルの変形性能に寄与できる効率が低い。
【０００７】
前記の欠点を改良するものとして、特開２００２−８１１５６に開示の技術が知られている。これは、複数の孔が略全面に分布して設けられた孔開き鋼板で構成した面材をパネル外周のフレームと接合することで、エネルギー吸収能力に優れた耐力壁パネルとし、さらに、鋼板の４角部には切欠を設けることで局所的な破壊を避けた耐力壁パネルである。
【特許文献１】特開２００２−８１１５６号公報
【発明の開示】
【発明が解決しようとする課題】
【０００８】
鋼板のせん断耐力により水平力を負担する耐力壁パネルにおいて、材料コストが低い無孔の鋼板を用いて、水平力に対して所期高さの短期許容耐力を発揮でき、なおかつ降伏後の変形性能を確保できればそれが望ましいのであるが、従来技術では前記鋼板による、耐力壁パネルの降伏後の著しい耐力上昇による枠体の局部変形や、面材と矩形枠材の接合部が破断する不具合を回避するのが難しく、他方、この問題回避のため鋼板の板厚を薄くすると、初期剛性が低下し、取扱も難しくなるなどの問題があった。
【０００９】
前記の点から従来は、鋼板のせん断耐力により水平力を負担する耐力壁パネルにおいて、所期高さの短期許容耐力を発揮でき、なおかつ変形性能を確保するためには、無孔鋼板の使用を断念し有孔鋼板を使用する考え方が一般的であった。その代表例である特開２００２−８１１５６号に開示の技術は、鋼板に多数の孔をあけ、さらに端部を切り欠いて変形性能をかせいでいるが、加工度が高く、結果としてコストアップになるという問題があった。
【００１０】
本発明は、建物の耐力壁パネルにおいて、普通の鋼板からなる面材を分割することで、該面材の変形及びこれを取り付ける矩形枠材の変形を許容した構成として壁パネル全体の変形性能を高め、もって地震等により水平力が作用したときにパネルの耐力が急激に低下しないようにし、しかも、従来のように工数が複雑でコストアップにつながることがないよう構成した耐力壁パネルを提供することを目的とする。
【課題を解決するための手段】
【００１１】
前記の目的を達成するため、本発明は次のように構成する。
【００１２】
第１の発明は、矩形に組み立てた枠材に面材を接合した建物の耐力壁パネルにおいて、前記面材を高さ方向に分割して各分割面材を隙間を形成して配置し、分割面材同士が対向する側の端部は枠材に接合した各々異なる幅方向取付け枠に接合したことを特徴とする。
【００１３】
第２の発明は、第１の発明において、各分割面材は、高さ方向中間部でも枠材に接合した幅方向取付け枠に接合したことを特徴とする。
【００１４】
第３の発明は、第１または第２の発明において、前記枠材と幅方向取付け枠を薄板軽量溝形鋼で構成すると共に、前記面材を鋼板で構成し、各部材はタッピングねじで接合されていることを特徴とする。
【００１５】
第４の発明は、第３の発明において、前記枠材をリップ付きＣ形鋼で構成すると共に、前記幅方向取付け枠を端部から中間部に向けて所定の長さに渡ってウエブを切欠いたＣ形鋼で構成し、ウエブ切欠き部におけるフランジで前記枠材のフランジを挟み、その重合部をタッピングねじで接合したことを特徴とする。
【発明の効果】
【００１６】
本発明によると、鋼板等の面材を高さ方向に複数に分割し、かつ隙間を形成して矩形枠材に固着して耐力壁パネルを構成したことにより、該面材の変形及び枠材変形を許容する構成として耐力壁パネル全体の変形性能を高めることができ、地震等による水平力が作用したときに壁パネルの耐力が急激に低下せず、これにより耐力壁パネル自体の急激な破壊を回避でき、建物の他の部材にも悪影響を与えるおそれを無くすことができるとともに、従来のように面材の工数が複雑でコストアップに繋がることがない。
【発明を実施するための最良の形態】
【００１７】
本発明はスチールハウス等の建物において、従来の鋼板耐力壁パネルは変形性能が乏しく、地震等による水平力の作用によって早期に鋼板が支圧破壊するため利用しづらい面があったものを改良し、変形性能に優れた鋼板耐力壁パネルを実現するために、以下のように構成したものである。
【００１８】
本発明の実施形態を図を参照して説明する。
【００１９】
図１（ａ）、（ｂ）は、本発明の実施形態として、スチールハウスにおける耐力壁パネルの１例を示す正面図と側面図である。図２（ａ）、（ｂ）は、矩形枠材の平面図と正面図、（ｃ）は、同図（ｂ）のＡ−Ａ断面図、図３（ａ）は、幅方向取付け枠の平面説明図、図３（ｂ）は、図２（ｂ）のＢ部の部分図、図３（ｃ）は、図３（ｂ）のＣ部の拡大図である。また、図４は、幅方向取付け枠と縦枠材との取り合い構造を示す斜視図、図５（ａ）は、図４の組み立て状態を示す平面図、図５（ｂ）は、図４の組み立て状態を示す正面図である。
【００２０】
図１、図２おいて、薄板軽量溝形鋼で構成された両側の縦枠材１１と中間の縦枠材１１ａと下部横枠材１２と上部横枠材１３で長方形の矩形枠材１４が組まれ、その一側面に高さ方向に２分割された鋼板からなる分割面材１５が複数のタッピングねじ１７で固着されて耐力壁パネル１８が構成されている。両側の縦枠材１１は薄板軽量溝形鋼のリップ付きＣ形鋼のウエブを背中合わせに接合して構成され、中間の縦枠材１１ａは１本のリップ付きＣ形鋼で構成され、上下の横枠材１３、１２はＣ形鋼の開口部を向かい合わせて構成されている。
【００２１】
また、図１、図２おいて、中間の縦枠材１１ａと左右両側の縦枠材１１の間に渡って薄板軽量溝形鋼からなる幅方向取付け枠１０、中間部幅方向補強材１０ａが複数段に架設されている。この幅方向取付け枠１０、１０ａの機能は、矩形枠材１８を構成する縦枠材１１、１１ａおよび上下の横枠材１３、１２とは機能を異にし、主に分割面材１５を安定して矩形枠材１８に接合する機能を有するものである。
【００２２】
図１、図２おいて、鋼板製の上下の分割面材１５は、所定の隙間（ロ）を形成して、両側の縦枠材１１と中間の縦枠材１１ａと下部横枠材１２と上部横枠材１３および幅方向取付け枠１０、１０ａの側面にタッピングねじ１７で接合されている。
【００２３】
薄板軽量溝形鋼からなる幅方向取付け枠１０は、図３〜図５に示すように、端部１６から所定の長さに渡ってウエブ１９を切欠いたウエブ切欠き部１９ａを両端に有するＣ形鋼で構成し、該ウエブ切欠き部１９ａにおけるフランジ２０で側部の縦枠材１１と中間部の縦枠材１１ａのフランジ２１を挟み、その重合部にタッピングねじ１７を打設することで各部材同士を接合している。したがって、幅方向取付け枠１０の長さが矩形枠材１４の幅寸法の略１／２の長さであり、かつ幅方向取付け枠１０の両端部でウエブ切欠き部１９ａの長さが異なっているのは次の理由による。
【００２４】
矩形枠材１４は中間部に縦枠材１１ａがあるため、１本ものの幅方向取付け枠を両側の縦枠材１１、１１の間に架け渡すことができない。このため、幅方向取付け枠１０は中間部の縦枠材１１ａで分割されたごとき構成とし、この中間部の縦枠材１１ａの両側と各一側の縦枠材１１との間に２本の幅方向取付け枠１０を架設している。しかも、両側の縦枠材１１は２つのリップ付きＣ形鋼を背中合わせに接合して構成されるのに対し、中間部の縦枠材１１ａは１つのリップ付きＣ形鋼で構成されていて、その幅が両側と中間部とで異なり、この点からウエブ切欠き部１９ａに左右側で大小に差を形成している。すなわち、幅方向取付け枠１０の一端側では、縦枠材１１の幅広の側部をフランジ２１で挟めるように大きいウエブ切欠き部１９ａが形成され、各フランジ２０、２１との重合部をタッピングねじ１７で接合している。
【００２５】
幅方向取付け枠１０の他端側では、中間の縦枠材１１ａの幅狭の側部のフランジ２１を挟めるように小さいウエブ切欠き部１９ａが形成され、各フランジ２０、２１との重合部をタッピングねじ１７で接合している。
【００２６】
このようにして、矩形枠材１４の中間部に隙間（ロ）に面して位置する幅方向取付け枠１０に、各分割面材１５同士の対向側の端縁部２２を重ね、その重合部をタッピングねじ１７にて接合する。幅方向取付け枠１０は、少なくとも各分割面材１５の対向側の端縁部２２に近い部位に取り付ける。また、各分割面材１５の中間部の幅方向取付け枠１０ａの数は、図の例よりも増加してもよいし、反対に省略しても構わない。
【００２７】
図６（ａ）、（ｂ）は、矩形枠内の全面に１枚の面材５を貼設した図８に示す従来の耐力壁パネル８に水平力が作用していないときと、作用したときの変形性能の模式図であり、図６（ｃ）、（ｄ）は、図１の耐力壁パネル（中間の縦枠材は省略して示す）に水平力が作用していないときと、作用したときの変形性能の模式図、図６（ｅ）〜（ｈ）はその変形例の模式図である。図６（ａ）〜（ｈ）において、各耐力壁パネルに水平力が作用した場合の面材に作用する斜長応力をベクトル（イ）、（ハ）で示し、このベクトル（イ）、（ハ）の傾きが小さいほど面材が水平力に対して効率的に作用していることを表している。
【００２８】
以下、順に説明する。図６（ａ）に示す矩形枠内の全面に１枚の面材５を貼設した高さ方向に長い長方形の従来の耐力壁パネル８において、上辺５ａと下辺５ｂに反対方向の水平力が作用するとき、図６（ｂ）に示すように面材５には、傾きの大きな斜長応力（イ）のみが作用する。これはパネル８は変形性能に乏しく、一定以上の水平力に対しては急激な耐力低下を生じることを意味している。
【００２９】
次に、図６（ｃ）に示すように、高さ方向に長い長方形の耐力壁パネル１８において、上下２つの分割面材１５はそれぞれが上辺１５ａと下辺１５ｂに反対方向の水平力が作用するとき、図６（ｄ）に示すように上下の各分割面材１５には、隙間（ロ）を介して上下２つに分断された斜長応力（ハ）が作用する。このとき、各分割面材１５は斜長応力（ハ）によりそれぞれ個別のバネとして作用する。つまり、鋼板製の各分割面材１５は高さ方向に２分割されていることで変形性能が高いことを示す。これは耐力壁パネル１８自体の急激な耐力低下、つまり破壊を回避できることであり、安定した地震エネルギー吸収能力を発揮できるという利点がある。
【００３０】
しかも、図６（ｄ）に示すように、耐力壁パネル壁１８の上下の辺１５ａ、１５ｂに反対方向の水平力が作用するとき、隙間（ロ）においては、縦枠材１１と分割面材１５には接合箇所が存在しないないから、この部位における隙間部縦枠材１１ｃは変形可能となる。
【００３１】
このように、実施形態に係る耐力壁パネル１８によると、（１）分割面材１５を高さ方向に複数に分割したことによる面材の変形性能の向上、（２）隙間（ロ）を形成して矩形枠材１４の側面に固着したことによる枠材変形の許容による変形性能の向上が実現され、前記の２つが相俟って耐力壁パネル全体の変形性能を高めることができ、地震等による水平力が作用したときに壁パネルの耐力が急激に低下するのを無くし、建物の他の部材にも悪影響をおよぼすおそれがない。
【００３２】
図６（ｅ）、（ｆ）は、３分割した分割面材１５を２つの隙間（ロ）を介して矩形の枠材に取り付けた耐力壁パネル１８において、該耐力壁パネル１８に水平力が作用するときと、作用しないときの変形性能の模式図である。同図から分るように、面材１５を多数分割することで各面材に一層変形性能を付与させることができ、各分割面材１５の耐力の低下をより滑らに行なわせることができる。
【００３３】
図６（ｇ）、（ｈ）は、図６（ｃ）、（ｄ）に示す上下に２分割した面材１５に幅方向取付け枠１０、１０ａを追加した耐力壁パネル１８を示し、該耐力壁パネル１８に水平力が作用するときと、作用しないときの変形性能の模式図である。図から分るように、面材１５に幅方向取付け枠１０ａを追加したことで、各面材に一層変形性能を付与させるだけでなく、剛性および短期許容耐力を向上させることができる。
【００３４】
図７（ａ）は、図６の耐力壁パネルの耐力試験を行なった結果を示すもので、同図（ｂ）に示す耐力壁パネルＡ、Ｂ、Ｃ、Ｄに水平力を作用させた場合における荷重と変形の関係を示すグラフであり、縦軸に水平荷重を、横軸に変形量を示す。また、同図（ｂ）に示す耐力壁パネルＡ、Ｂ、Ｃ、Ｄは、図６に示す耐力壁パネルＡ、Ｂ、Ｃ、Ｄに対応するものである。
【００３５】
図７（ａ）において、Ａ、Ｂ、Ｃ、Ｄで示すグラフ曲線が、同図（ｂ）の耐力壁パネルＡ、Ｂ、Ｃ、Ｄに水平荷重が作用したときの変形角を示す。グラフ曲線Ａから分るように、同図（ｂ）Ａの耐力壁パネル８では荷重が大きくなると、ある時点で急激に耐力が低下するこがわかる。それに比べグラフ曲線Ｂ、Ｃ、Ｄから分るように、同図（ｂ）のＢ、Ｃ、Ｄの各耐力壁パネル１８では、荷重が増大するとき徐々に耐力が低下する、つまり柔軟性が増大していることが分る。さらに、グラフ中の符号（１）は、面材分割による急激な耐力低下の防止および最大耐力時の変形量の増大を示し、符号（２）は、面材内に水平材（つまり幅方向取付け枠１０ａ）を追加したことによる短期耐力の上昇を示している。
【００３６】
以上のように、本発明の実施形態に係る耐力壁パネルによると、分割面材と矩形枠材との接合部を増やして面材の剛性を確保しつつ、分割面材の変形性能を確保でき、分割面材のせん断変形だけでなく、矩形枠材の曲げ変形による変形性能の向上を期待できる。それにより耐力壁パネルの地震時の水平力に対する挙動として最も好ましくない急激な耐力の低下を緩和して、効果的な耐震性能を耐力壁パネルに付与できたものである。
【００３７】
なお、本発明の耐力壁パネルを構成する矩形枠材は、鋼材に限らず木枠に適用できる。また面材は鋼板に限らず、合板等にも適用できる。また、耐力壁パネルには、隙間（ロ）及び分割面材の上面を覆うように仕上げ材が配置される（但し、図を省略する）。
【図面の簡単な説明】
【００３８】
【図１】（ａ）、（ｂ）は、実施形態を示し、スチールハウスにおける耐力壁パネルの１例を示す正面図と側面図である。
【図２】（ａ）、（ｂ）は、矩形枠材の平面図と正面図、（ｃ）は、同図（ｂ）のＡ−Ａ断面図である。
【図３】（ａ）は、幅方向取付け枠の平面説明図、（ｂ）は、図２（ｂ）のＢ部の部分拡大図、（ｃ）は、図３（ｂ）のＣ部の拡大図である。
【図４】幅方向取付け枠と縦枠材との取り合い構造を示す斜視図である。
【図５】（ａ）は、図４の組み立て状態を示す平面図、図５（ｂ）は、同じく正面図である。
【図６】（ａ）、（ｂ）は、図８の耐力壁パネルに水平力が作用しないときとしたときの変形性能を示す模式図、（ｃ）、（ｄ）は、図１の耐力壁パネルに水平力が作用したときと、作用しないときとしたときの変形性能の模式図、（ｅ）、（ｆ）は、面材を３分割した耐力壁パネルに水平力が作用しないときとしたときの変形性能の模式図、（ｇ）、（ｈ）は、図（ｃ）、（ｄ）の２分割面材に中間部幅方向取付け枠を取り付けた耐力壁パネルに水平力が作用しないときとしたときの変形性能の模式図である。
【図７】耐力壁パネルの耐力試験の結果を示し、（ａ）は、同図（ｂ）に示す耐力壁パネルＡ、Ｂ、Ｃ、Ｄに水平力が作用した場合における荷重と変形の関係を示すグラフである。
【図８】（ａ）、（ｂ）は、従来のスチールハウスにおける耐力壁パネルの１例を示す正面図と側面図である。
【符号の説明】
【００３９】
１  縦枠材
２  下部横枠材 
３  上部横枠材
４  矩形枠材
５  面材
１０  幅方向取付け枠
１０ａ  面材中間部幅方向取付け枠  
１１  縦枠材
１１ａ  中間部縦枠材
１１ｃ  隙間部縦枠材
１２  下部横枠材
１３  上部横枠材
１４  矩形枠材
１５  分割面材
１６  端部
１７  タッピングねじ
１８  耐力壁パネル
１９  ウエブ
１９ａ  ウエブ切欠き部
２０  フランジ 
２１  フランジ
２２  端縁部
（イ） ベクトル
（ロ） 隙間  
【図１】
2005320748.tif 000003
【図２】
2005320748.tif 000004
【図３】
2005320748.tif 000005
【図４】
2005320748.tif 000006
【図５】
2005320748.tif 000007
【図６】
2005320748.tif 000008
【図７】
2005320748.tif 000009
【図８】
2005320748.tif 000010